(57)【要約】【課題】入浴者がリラックスした状態で身体を効率よく暖めることができ、かつ不使用時に嵩張るなどの不具合を好適に解消し得る浴室用暖房装置を提供する。【解決手段】温水流通路３０Ａ，３０Ｂが設けられた温水パネル３Ａ，３Ｂを備えている、浴室用暖房装置Ａ１であって、温水パネル３Ａ，３Ｂを浴室１の壁面１０に対して相対回転可能に支持する回転支持部４０を備えており、温水パネル３Ａ、３Ｂは、回転支持部４０を中心として回転されることにより、浴室１の壁面１０に沿って起立した第１の姿勢と、浴室１の壁面１０からその前方に傾斜状または略水平状に突出した第２の姿勢とに選択的に切り替え設定可能とされており、前記第２の姿勢の設定時においては、温水パネル３Ａ，３Ｂを少なくとも椅子の座部または背もたれ部として利用可能とされている。【選択図】  図２
2016084979.tif 000002
【特許請求の範囲】
【請求項１】
内部または裏面部に温水流通路が設けられた温水パネルを備えている、浴室用暖房装置であって、
前記温水パネルを浴室の壁面に対して相対回転可能に支持する回転支持部を備えており、
前記温水パネルは、前記回転支持部を中心として回転されることにより、前記浴室の壁面に沿って起立した第１の姿勢と、前記浴室の壁面からその前方に傾斜状または略水平状に突出した第２の姿勢とに選択的に切り替え設定可能とされており、
前記第２の姿勢の設定時においては、前記温水パネルを少なくとも椅子の座部または背もたれ部として利用可能とされていることを特徴とする、浴室用暖房装置。
【請求項２】
請求項１に記載の浴室用暖房装置であって、
前記温水パネルとして、一端側が前記回転支持部に連結された第１の温水パネルと、この第１の温水パネルの他端側に回転可能に連結された第２の温水パネルとを有しており、
前記第１の姿勢の設定時においては、前記第１および第２の温水パネルを折り重ねるようにして起立させることが可能とされており、かつ前記第２の姿勢の設定時においては、前記第１の温水パネルを前下がり傾斜状として椅子の背もたれ部として利用可能であるとともに、前記第２の温水パネルを略水平状に設定して前記椅子の座部として利用可能とされている、浴室用暖房装置。
【請求項３】
請求項１または２に記載の浴室用暖房装置であって、
熱源機によって加熱された温水を前記温水流通路に流通させる加熱モードと、冷却手段によって冷却された水を前記温水流通路に流通させる冷却モードと、が切り替え可能とされている、浴室用暖房装置。
【発明の詳細な説明】
【技術分野】
【０００１】
本発明は、浴室用暖房装置に関する。
【背景技術】
【０００２】
浴室用暖房装置の一例として、特許文献１に記載のものがある。同文献に記載の暖房装置は、浴室の壁部に、蛇行状の温水パイプを設置し、この温水パイプから発せられる熱を利用して浴室内を暖房することが可能とされている。
【０００３】
しかしながら、特許文献１に記載の暖房装置は、浴室の壁面に固定された単なるパネルヒータとして機能するに過ぎない。入浴者が暖房装置からの輻射熱を受けて暖まろうとする場合、入浴者は、暖房装置の前に突っ立った状態となる。これでは、入浴者は、リラックスすることはできない。
【０００４】
一方、従来においては、特許文献２，３に示すように、浴室に設置される椅子に暖房機能を具備させたものがある。このような構成によれば、入浴者は椅子に着席した状態で、身体を暖め、リラックスすることが可能である。ところが、このように、椅子そのものに暖房機能を具備させたのでは、浴室内において椅子が大きく嵩張ったものとなってしまう。これでは、不使用時に前記の椅子が邪魔となって、浴室内の洗い場スペースが狭くなるなど、浴室の使い勝手が悪くなる不具合を招く。
【先行技術文献】
【特許文献】
【０００５】
【特許文献１】特開２００４−２０５０７２号公報
【特許文献２】特開２００７−２８９２８０号公報
【特許文献３】実用新案登録第３１３２９１８号公報
【発明の概要】
【発明が解決しようとする課題】
【０００６】
本発明は、前記したような事情のもとで考え出されたものであり、温水シャワーなどを浴びなくても入浴者の身体を効率よく、かつリラックスした状態で暖めて温浴を楽しむことができ、しかも不使用時に浴室内において大きく嵩張るといった不具合も好適に解消することが可能な浴室用暖房装置を提供することを、その課題としている。
【課題を解決するための手段】
【０００７】
上記の課題を解決するため、本発明では、次の技術的手段を講じている。
【０００８】
本発明により提供される浴室用暖房装置は、内部または裏面部に温水流通路が設けられた温水パネルを備えている、浴室用暖房装置であって、前記温水パネルを浴室の壁面に対して相対回転可能に支持する回転支持部を備えており、前記温水パネルは、前記回転支持部を中心として回転されることにより、前記浴室の壁面に沿って起立した第１の姿勢と、前記浴室の壁面からその前方に傾斜状または略水平状に突出した第２の姿勢とに選択的に切り替え設定可能とされており、前記第２の姿勢の設定時においては、前記温水パネルを少なくとも椅子の座部または背もたれ部として利用可能とされていることを特徴としている。
【０００９】
このような構成によれば、次のような効果が得られる。
第１に、温水パネルを少なくとも椅子の座部または背もたれ部として利用することが可
能であるため、入浴者は温水パネルを利用して構成された椅子に着席した状態で温水パネルからの熱を受けて暖まることができる。したがって、入浴者はリラックスした状態で身体を効率よく暖め、たとえば岩盤浴と同様なスタイルの温浴を楽しむことができる。
第２に、温水パネルを椅子または椅子の一部として使用しないときには、温水パネルを浴室の壁面に沿わせて起立させておくことにより、温水パネルが浴室内において大きく嵩張らないようにすることができる。
第３に、温水パネルを浴室の壁面に沿わせて起立させた状態において、温水パネルの温水流通路に温水を流通させれば、前記温水パネルを利用した浴室暖房が可能となる。本発明によれば、温水パネルを浴室暖房用の熱源として、および岩盤浴と同様なスタイルの温浴を楽しむための部材として利用しており、その構成は合理的である。
【００１０】
本発明において、好ましくは、前記温水パネルとして、一端側が前記回転支持部に連結された第１の温水パネルと、この第１の温水パネルの他端側に回転可能に連結された第２の温水パネルとを有しており、前記第１の姿勢の設定時においては、前記第１および第２の温水パネルを折り重ねるようにして起立させることが可能とされており、かつ前記第２の姿勢の設定時においては、前記第１の温水パネルを前下がり傾斜状として椅子の背もたれ部として利用可能であるとともに、前記第２の温水パネルを略水平状に設定して前記椅子の座部として利用可能とされている。
【００１１】
このような構成によれば、第１および第２の温水パネルをそれぞれの椅子の背もたれ部および座部として利用できるために、入浴者は第２の温水パネル上に着席して第１の温水パネルにもたれかかった姿勢で、第１および第２の温水パネルの双方を利用して身体を暖めることができる。したがって、リラックスした姿勢で身体を効率よく暖める上で、より好ましいものとなる。一方、第１および第２の温水パネルを椅子として利用しない場合には、これらを折り重ねるようにして浴室の壁面に沿わせて起立させることができるために、全体が嵩張ることを、やはり適切に抑制することができる。
【００１２】
本発明において、好ましくは、熱源機によって加熱された温水を前記温水流通路に流通させる加熱モードと、冷却手段によって冷却された水を前記温水流通路に流通させる冷却モードと、が切り替え可能とされている。
【００１３】
このような構成によれば、温水を利用してユーザの身体を暖めるモードと、冷却水を利用してユーザの身体を冷やすモードとの切り替えが可能であるために、ユーザの要望に応じて、身体の暖めと冷却とを好適に選択することができる。ユーザの身体を暖めるモードと冷やすモードとを適当な時間間隔で繰り返し実行すれば、温度差を利用した一種のマッサージ効果も得ることが可能である。
【００１４】
本発明のその他の特徴および利点は、添付図面を参照して以下に行なう発明の実施の形態の説明から、より明らかになるであろう。
【図面の簡単な説明】
【００１５】
【図１】（ａ）は、本発明に係る浴室用暖房装置の一例を示す概略要部正面図であり、（ｂ）は、（ａ）の要部側面断面図であり、（ｃ）は、（ａ）のIc−Ic要部拡大断面図であり、（ｄ）は、（ｃ）とは異なる例を示す要部拡大断面図である。
【図２】図１に示す浴室用暖房装置の一使用例を示す要部側面断面図である。
【図３】（ａ）は、本発明の他の例を示す概略要部正面図であり、（ｂ）は、（ａ）の要部側面断面図であり、（ｃ）は、（ａ）に示す浴室用暖房装置の一使用例を示す要部側面断面図である。
【図４】（ａ），（ｂ）は、本発明の他の例を示す要部側面断面図である。
【図５】本発明の他の例を示す要部側面断面図である。
【発明を実施するための形態】
【００１６】
以下、本発明の好ましい実施の形態について、図面を参照して具体的に説明する。
【００１７】
図１に示す浴室用暖房装置Ａ１は、浴室１内に配された第１および第２の温水パネル３Ａ，３Ｂと、第１の温水パネル３Ａを浴室１の壁面１０にぶら下げるようにして取り付けるためのブラケット４とを備えている。
【００１８】
ブラケット４は、浴室１の壁面１０に固定されており、第１の温水パネル３Ａの上端部またはその近傍部分を回転可能に支持する左右一対の回転支持部４０を有している。第１の温水パネル３Ａの下端側は、回転支持部４０を中心として図１（ｂ）の矢印Ｄ１方向に揺動可能である。このことにより、第１の温水パネル３Ａは、図１(ｂ）の実線で示すように、浴室１の壁面１０に沿って起立した第１の状態と、図２の実線で示すように、浴室１の壁面１０からその前方に傾斜状に突出した第２の姿勢とに切り替え設定可能である。
【００１９】
第１および第２の温水パネル３Ａ，３Ｂは、ともに正面視略矩形状であり、第２の温水パネル３Ｂは、第１の温水パネル３Ａの下端部に連結部６を介して連結されている。連結部６には、第２の温水パネル３Ｂを回転可能に支持する左右一対の支持部６０が設けられており、図１（ｂ）の実線で示すように、第２の温水パネル３Ｂを第１の温水パネル３Ａに重ね合わせた状態と、図２の実線で示すように、第２の温水パネル３Ｂをバスチェア７の上に載せて略水平に設定した状態とに切り替え設定可能とされている。
【００２０】
第１の温水パネル３Ａは、図１（ｃ）に示すように、温水流通路３０Ａ（３０）が内部または裏面部に設けられたプレート状のベース部材３１と、このベース部材３１の表面を覆うクッション材３２とを備えている。好ましくは、クッション材３２の表面部は、撥水性をもつ表皮（図示略）によって覆われている。温水流通路３０は、ベース部材３１の裏面部に設けられた凹溝３３に温水流通用のパイプ３４を嵌入させることにより構成されており、たとえば図１（ａ）に示すように、直線部３０ａと蛇行部３０ｂとを有している。第２の温水パネル３Ｂも、図１（ｃ）に示した構造と同様な構造とされており、第１の温水パネル３Ａの温水流通路３０Ａに接続された温水流通路３０Ｂ（３０）を有している。なお、凹溝３３を適当な部材により塞ぎ、パイプ３４から第１および第２の温水パネル３Ａ，３Ｂの背後への放熱ロスを少なくする手段を採用することもできる。
【００２１】
温水流通路３０Ａ，３０Ｂには、浴室１の外部に設置された熱源機（図示略）から配管部５８を介して温水を供給可能であり、温水流通路３０Ａ，３０Ｂを通過し終えた温水は、配管部５９を介して前記熱源機に戻されるように構成されている。温水流通路３０Ａ，３０Ｂへの温水供給のオン・オフを切り替えるためのスイッチＳ１は、たとえば図２に示すように、浴室１に設けられている風呂給湯用のリモコンＲに設けられている。好ましくは、温水流通路３０Ａ，３０Ｂに供給される温水の温度を変更するためのスイッチ（不図示）も設けられる。これらのスイッチをリモコンＲとは異なる部位に設けた構成とすることもできる。
【００２２】
ベース部材３１は、好ましくは、遠赤外線放射材が練り込まれた樹脂製とされている。このような構成によれば、温水流通路３０からの単なる放熱作用によってユーザの身体を暖める場合よりも、温浴効果を高めることが可能である。遠赤外線放射を可能とするための手段としては、たとえば図１（ｄ）に示すように、遠赤外線放射シート３５をベース部材３１とクッション材３２との間に介在させた構成とし、ベース部材３１を遠赤外線放射材が練り込まれていない一般的な樹脂製とすることもできる。ベース部材３１は、樹脂以外の材質とすることもできる。
【００２３】
次に、前記した浴室用暖房装置Ａ１の使用例ならびに作用について説明する。
【００２４】
まず、温水流通路３０Ａ，３０Ｂに温水を流通させた状態で、第１および第２の温水パネル３Ａ，３Ｂを、図２の実線で示す状態に設定することにより、入浴者はそれらを椅子の背もたれ部および座部として利用し、着衣のままリラックスした姿勢で岩盤浴と同様な温浴を楽しむことができる。なお、図２においては、バスチェア７上に第２の温水パネル３Ｂを載せているが、これに代えて、第２の温水パネル３Ｂに折り畳み式または回転式などの脚部を取り付け、この脚部を利用して第２の温水パネル３Ｂを浴室１の床面から適当な高さで略水平状に設定可能な構成としてもよい。
【００２５】
前記したような温浴を行なわない場合には、図１（ｂ）の実線で示すように、第１および第２の温水パネル３Ａ，３Ｂを折り畳むようにして浴室１の壁面１０に沿わせておくことができる。このことにより、第１および第２の温水パネル３Ａ，３Ｂが浴室１内において大きく嵩張らないようにし、浴室１の洗い場などが窮屈になることを適切に回避することができる。
【００２６】
図１（ｂ）の実線で示す状態においても、温水流通路３０Ａ，３０Ｂに温水を流通させることが可能であり、このことによって第１および第２の温水パネル３Ａ，３Ｂから放熱を生じさせて、浴室暖房を行なうことが可能である。このように、第１および第２の温水パネル３Ａ，３Ｂは、浴室１の壁面１０からその前方に引き出した場合には、温浴用の熱源を兼用した椅子として利用できる他、浴室１の壁面１０に沿わせた場合においても浴室暖房に利用できるものであって、多機能性を有しており、便利である。
【００２７】
図３〜図５は、本発明の他の実施形態を示している。これらの図において、前記実施形態と同一または類似の要素には、前記実施形態と同一の符号を付している。
【００２８】
図３に示す浴室用暖房装置Ａ２は、ブラケット４に１つの温水パネル３Ａが回転可能に取り付けられた構成とされている。温水パネル３Ａは、前記実施形態の第１の温水パネル３Ａと同様な構成であり、本実施形態において、前記実施形態の第２の温水パネル３Ｂに相当する温水パネルは設けられていない。
【００２９】
本実施形態においては、図３（ｃ）に示すように、たとえばバスチェア７の上部に凹部７０などを設けておき、かつこの凹部７０に温水パネル３Ａの下端部を係入させることにより、温水パネル３Ａを適当な角度で傾斜した姿勢に設定し、バスチェア７用の背もたれ部として利用することができる。本実施形態においては、入浴者の臀部付近については温水パネル３Ａによって暖めることは困難であるが、入浴者の背中や腰などを適切に暖めることが可能であり、やはりリラックスした状態で温浴を楽しむことができる。本実施形態から理解されるように、本発明においては、温浴時に温水パネルを椅子の背もたれ部としてのみ利用可能な構成とされていてもよい。
【００３０】
図４（ａ）に示す浴室用暖房装置Ａ３は、温水パネル３Ｃを、同図仮想線で示すように浴室１の壁面１０に沿わせるように起立した状態から、同図実線で示すように、浴室１の壁面１０の前方に突出した略水平な姿勢に設定することが可能とされている。温水パネル３Ｃを略水平な姿勢に維持するための手段として、たとえば折り畳みリンク方式のステー９０が用いられている。
本実施形態においては、温水パネル３Ｃを椅子の座部として利用した温浴が可能であり、入浴者の臀部や腿の裏側などを効率よく暖めることが可能である。本実施形態から理解されるように、本発明においては、温浴時に温水パネルを椅子の座部としてのみ利用可能な構成とすることもできる。
【００３１】
図４（ｂ）に示す浴室用暖房装置Ａ４は、図４（ａ）に示した構成に加え、追加の温水パネル３Ｄをさらに備えている。この追加の温水パネル３Ｄは、たとえば浴室１の壁面１０に固定されており、回転不能な状態とされている。ただし、温水パネル３Ｃが温浴用の椅子の座部として利用される場合には、追加の温水パネル３Ｄを背もたれ部として利用し、入浴者の背中などを効率よく暖めるのに利用することが可能である。本実施形態から理解されるように、本発明においては、複数の温水パネルを用いる場合に、必ずしも全ての温水パネルを可動式に設ける必要はなく、一部の温水パネルについては固定式とされていてもよい。
【００３２】
図５に示す浴室用暖房装置Ａ５においては、第１および第２の温水パネル３Ａ，３Ｂに、温水および冷却水の一方を選択的に供給することが可能とされている。具体的には、熱源機５０から配管部５８への温水供給経路５７には、冷却装置５５が三方弁５６を介して接続されている。配管部５９には、第１および第２の温水パネル３Ａ，３Ｂを通過してきた湯水をタンク５１に戻す流路５３が接続されており、タンク５１の湯水は、ポンプＰ１を利用して熱源機５０に送出可能である一方、ポンプＰ２を利用して冷却装置５５に送出可能である。このことにより、第１および第２の温水パネル３Ａ，３Ｂに対する熱源機５０からの温水供給と、冷却装置５５を利用して冷却された水の供給とが切り替え可能である。なお、熱源機５０は、たとえばガス給湯装置またはこれに類する装置である。
【００３３】
このような構成によれば、たとえば第１および第２の温水パネル３Ａ，３Ｂに温水を供給する加熱モードと、冷水を流す冷却モードとを、適当な時間間隔（数分程度の間隔など）で繰り返すことにより、ユーザの身体に温度変化を与え、一種のマッサージ効果を生じさせることができる。また、夏季などにおいては、第１および第２の温水パネル３Ａ，３Ｂに冷水を供給させ、かつ図２に示すような態様で使用することにより、入浴者の身体のクールダウンを図るといった使用態様も可能となる。
【００３４】
本発明は、上述した実施形態の内容に限定されない。本発明に係る浴室用暖房装置の各部の具体的な構成は、本発明の意図する範囲内において種々に設計変更自在である。
【００３５】
温水パネルの具体的な数は限定されず、３以上用いることも可能である。温水パネルに設けられている温水流通路は、金属製パイプとは異なるチューブを用いたり、あるいは温水パネルのベース部材に湯水流通用の孔部を設けるなどして構成することもできる。
温水パネルを浴室の壁面に対して相対回転可能に支持する回転支持部は、温水パネルを本発明が意図する所定の第１の状態と第２の状態とに切り替え設定できるように温水パネルを回転可能に支持する構造であればよく、ピンを利用した支持構造、ボルトなどを用いた支持構造、凹部と凸部との嵌合による支持構造など、様々な構造を採用することができる。
本発明でいう浴室は、浴槽が設置されていない浴室、たとえばシャワールームを含むものであり、さらには本発明の暖房装置を利用して温浴を行なうために区画された温浴用スペースも含む概念である。
【符号の説明】
【００３６】
Ａ１〜Ａ５  浴室用暖房装置
１  浴室
１０  壁面（浴室の）
３Ａ〜３Ｄ  温水パネル
３０（３０Ａ，３０Ｂ）  温水流通路
４  ブラケット
４０  回転支持部
【図１】
2016084979.tif 000003
【図２】
2016084979.tif 000004
【図３】
2016084979.tif 000005
【図４】
2016084979.tif 000006
【図５】
2016084979.tif 000007